Podtech/llm-jp-corpus-v4-ja_patent huggingface dataset:
(57)【要約】      （修正有）【課題】電気自動車の走行距離を長くする為に走行しながら発電をする圧電素子つきタイヤを提供する。【解決手段】タイヤ外周面１と、内周面２の肉厚部分の中に圧電素子３を内臓した圧電素子つきタイヤとする。【選択図】図１
2011062065.tif 000002
【特許請求の範囲】
【請求項１】
タイヤ外周面（１）と、内周面（２）の肉厚部分の中に、圧電素子（３）を内臓した、圧電素子つきタイヤ。
【請求項２】
請求項１の圧電素子つきタイヤを取り付けた乗り物。
【発明の詳細な説明】
【技術分野】本発明は、タイヤに圧電素子（圧力や、振動を加えると発電する）を内臓した。
圧電素子つきタイヤに関するものである
【背景技術】従来圧電素子のついているタイヤは、なかった。
【発明が解決しようとする課題】
従来電気自動車は、搭載してあるバッテリーに外部より電気を充電して走行していた。したがいバッテリーの容量が限られ、走行距離が短いのが欠点であった。
本発明は、以上の欠点をなくす為に、なされたものである。
【課題を解決する為の手段】
タイヤ外周面（１）と、内周面（２）の肉厚部分の中に、圧電素子（３）を内臓する。このタイヤを電気自動車に取り付けた場合、圧電素子（３）に自動車の重量による圧力が加わり、走行する事で発電が行なわれる。この電力を駆動モーターに利用する。
本発明は、以上の構成よりなる圧電素子つきタイヤである。
【発明の効果】
走行中は、常に発電し続けるので走行距離が長くなる。
【発明を実施する為の最良の形態】
以下本発明を実施する為の最良の形態について説明する。
タイヤ外周面（１）と、内周面（２）の肉厚部分の中に、圧電素子（３）を、タイヤに巻きつけるように配列し、タイヤ素材で包み込むように内臓する。
そして発電された電力は、圧電素子（３）からタイヤ本体（４）→ホイール→車軸→バッテリー→駆動モーターへと配線したケーブルにより取り込む本発明は、以上の構造である。
【使用方法】
これを使用する時は、通常の運転で車を走行させればよい。
走行中は、常に発電し続ける事となる。
【本発明の応用例】
本発明の圧電素子つきタイヤは、電気自動車に限らず、ガソリン自動車、ハイブリット自動車、タイヤ式モノレール、自動二輪車、自転車などタイヤの付いている物であれば全てに応用出来、発電された電力は、駆動モーターに限らず、照明エアコン、オーディオ、カーナビなどの電源としても幅広く利用する事が出来る
【図面の簡単な説明】
【図１】本発明のタイヤを２分の１にした斜視図である。
【符号の説明】１  タイヤ外周面
２  タイヤ内周面
３  圧電素子
４  タイヤ本体
【図１】
2011062065.tif 000003
(57)【要約】【課題】符号２０ユニオンへ注入される不安定で条件範囲の狭い悪条件のガスを符号２１ユニオンで排出するまでに、安定した湿度に調整し流量を一定に調整して、また希釈や混合ガス作成など条件範囲を拡大し、安定したものに変換させ、あらゆる試験条件に対応可能なガスを供給する。【解決手段】符号５，６コントローラにてガスの圧力値を一定に保ち、符号１，２水槽筒又は、符号７，８乾燥筒にガスを流し、湿度調節し、符号１５，１６の切換バルブでガスを混合させ希釈ガスを作成し、作成符号１９流量計にて調整、排出する。【選択図】図３
2011062679.tif 000002
【特許請求の範囲】
【請求項１】
それぞれの異なる二つ以上の回路にて、それぞれの気体すなわちガスを安定した一定の圧力に変換して、湿度設定値に応じてそれぞれ異なった完全に密閉した容器に注入することにより、安定した一定の湿度に調整した後、安定した一定の流量でそれぞれに排出供給することや必要に応じそれらのガスを当装置内部で混合させることにより混合ガスや希釈ガスを作成する装置であって、前記の容器とは加湿手段又は除湿手段をおこなえるものであり、それぞれの回路の分岐点に切換え器具を設置し目的に応じ切替えて、湿度や流量を安定供給できる装置や回路でなることを特徴とする高精密湿度と流量コントロール装置である。
【請求項２】
前記気体すなわちガスは、外部の酸素や窒素ボンベから送り込まれるものであり、それぞれのガスをプレッシャーバルブで一定の安定した圧力に調整し、前記容器は、除湿手段として密閉した乾燥筒、加湿手段として密閉した水を貯めた水槽筒からなるものであり、それらにガスを注入して湿度を調整した後、一定の安定した流量でその気体を排出、場合によって、それぞれの気体を装置内部で混合させることにより湿度調整や流量調整された希釈酸素の作成する回路を持ち、上記分岐点切換え器具は、切替バルブの切換えからなることを特徴とする請求項１記載の高精密湿度と流量コントロール装置である。
【発明の詳細な説明】
【技術分野】
【０００１】本発明は、外部から供給した条件が不安定なガスを一定の安定した湿度や流量に同時に変換、調整し、外部の試験装置に安定ガス供給を図った湿度、流量コントロール装置に関する。
【背景技術】
【０００２】従来は、ガスの湿度、流量、混合、希釈等さまざまな幅広い気体設定条件を同時に、装置一台で変換、微調整、設定し外部へ供給できるものはなかった。
【発明の開示】
【発明が解決しようとする課題】
【０００３】各試験装置が供給を必要とするガスの条件である湿度、流量、濃度設定機能設備が不十分な場合は、その希望する条件設定機能付きの器具に新しく買換えや買い足しなければならなかったため多くのコストや設置スペースがかかるという難点、多くの産業廃棄物が発生するという難点があった。本発明は、この課題を解消するためになされたものである。
【課題を解決するための手段】
【０００４】不安定な条件設定のガスを一定の安定したガスに変換するためにまずガスの圧力値を安定器具にて一定に保ち、それらのガスを密閉した容器、すなわち加湿手段の場合は、蒸留水を貯めた水槽筒、除湿手段の場合は、乾燥筒に流し込むことにより、ガスの湿度調節や変換でき、また流し込んだガス圧力値の設定値の調整により、さまざまな条件の湿度に変化させた後、安定した流量を付属器具にて供給、排出し、さらに必要に応じ当装置内の回路切り替え装置にて互いのガスを混合させることにより希釈ガスを作成させて、湿度、流量調整やガス混合機能を一つに集約させることにより、課題を解決することができる。
【発明の効果】
【０００５】供給できるガスの条件である湿度、流量の幅が拡大したこと、そして同時に混合希釈ガスを他の試験装置へ供給することができるようになり、設置スペースの縮小や装置買換え買い足し減少によるコスト削減や産業廃棄物も減少し、環境破壊の防止につながる。【０００６】密閉させた加湿手段のための容器にかけるガスの圧力値によって、ガスの湿度を調整することができ、その関係は、圧力値が低ければ低いほど湿度は上がり、圧力値が高ければ高いほど湿度は下がり、圧力値１０ＫＰＡから０．２ＭＰＡの間で湿度９０％ＲＨから３０％ＲＨの間で調節可能であり、ガス注入の際にガスを一旦蒸留水に触れさせると１００％ＲＨのガスを得ることが可能である。【０００７】ガスの混合比率の割合を変えることによりガス希釈度合いの調節が可能であり、その割合の調節は、それぞれの混合させるガスの流量割合で調整可能であると同時に混合させないで、それぞれに湿度及び流量のみを微調整することも可能である。
【図面の簡単な説明】
【０００８】
【図１】本発明の正面図である。
【図２】本発明の背面図である。
【図３】本発明の回路を表す図である。
【実施例１】
【０００９】符号１，２水槽筒に約半分ほどに蒸留水を入れしっかりと蓋をする。
符号２０ユニオンからそれぞれガスを注入する。
符号３，４ガス目標設定湿度値に応じた圧力計値にて符号５，６コントローラをひねり圧力値を調節する。ドライ設定の場合は、符号７，８乾燥筒に乾燥材を入れておく。
符号９，１１，１２，１４切替バルブを除湿手段回路に設定するとドライのガスを排出。
符号９，１１，１２，１４切替バルブを加湿手段回路に設定するとウエットのガスを排出。
符号１０，１３切替バルブで１００％ＲＨ回路又は、３０％ＲＨから９０％ＲＨ回路に設定。
符号１５，１６切替バルブでガス混合希釈回路又は、湿度、流量調節のみ回路に設定。
符号１７，１８，１９流量計でガス排出量を調節する。
符号２１ユニオンから排出したガスを他の外部試験装置に銅管ステンレス管で接続し供給する。
【符号の説明】
【００１０】１    Ａ水槽筒
２    Ｂ水槽筒
３    Ａ圧力計
４    Ｂ圧力計
５    Ａコントローラ
６    Ｂコントローラ
７    Ａ乾燥筒
８    Ｂ乾燥筒
９    Ａ−ａ−ａ切替バルブ
１０  Ａ−ａ−ｂ切替バルブ
１１  Ａ−ａ−ｃ切替バルブ
１２  Ｂ−ａ−ａ切替バルブ
１３  Ｂ−ａ−ｂ切替バルブ
１４  Ｂ−ａ−ｃ切替バルブ
１５  Ｃ−ａ切替バルブ
１６  Ｃ−ｂ切替バルブ
１７  Ａ流量計
１８  Ｂ流量計
１９  ＡＢ流量計
２０  ガス注入ユニオン
２１  ガス排出ユニオン
【図１】
2011062679.tif 000003
【図２】
2011062679.tif 000004
【図３】
2011062679.tif 000005
(57)【要約】【課題】    本発明は浴槽に溜めたお湯を洗髪等に利用し、水道代を節約するときに、種々の手間を省くことができる簡易シャワー器具である。    シャワー設備のない浴室や屋外等でも簡単にシャワーとして使用することができる器具を提供する。【解決手段】    ホースの片側の先にポンプを取り付ける。反対側の先にシャワーヘッドを取り付ける。  浴槽内で倒れないよう取っ手を取り付け、どこでも使用可能にするため電池式とする。ホース、ポンプ、シャワーヘッド内部は抗菌仕様とし、通電部分は水が入って感電しないよう、ゴムなどの絶縁体で覆う。【選択図】図１
2011062484.tif 000002
【特許請求の範囲】
【請求項１】
適当な量の貯水があれば、どこでも簡単にシャワーとして利用することのできる簡易シャワー器具
【請求項２】
ホースの片側の先にポンプ、反対側の先にシャワーヘッドをとりつけ、浴槽に溜めたお湯を吸い上げ、シャワーとして簡単に利用できるようにした簡易シャワー器具
【請求項３】
高さを調節できる取っ手により、ポンプが倒れないようにした、簡易シャワー器具
【請求項４】
電力を電池式とし、シャワーのない浴室や屋外等でも気楽に使用できる簡易シャワー器具
【請求項５】
水の再利用になるため、ホース、ポンプ、シャワーヘッド内部を抗菌仕様とした簡易シャワー器具
【発明の詳細な説明】
【技術分野】
【０００１】    本発明は、浴槽に溜めたお湯を、洗髪等に使用するための簡易シャワー器具に関するものである。
【背景技術】
【０００２】    従来、浴槽に溜めたお湯を、洗面器等を使って洗髪等に利用し、水道代を節約することがなされていますが、それはエコ活動の取り組みとしても推奨されているのは世間に多く知られている。
【発明の概要】
【発明が解決しようとする課題】
【０００３】    浴槽のお湯を、洗面器等を使って洗髪等に利用するとき、次のような問題点があった。
洗面器等で何度もかけ湯をすると、腕が疲れるため、億劫になる。
洗面器でかけ湯をすると、真上からしかお湯をかけることができないので、すすぎ残しがないように、丁寧にすすぐことが難しい。
本発明は、以上の問題点を解決し、かつシャワーの無い浴室や屋外等でも簡易にシャワーができるようにされたものである。
【課題を解決するための手段】
【０００４】    ホースの片側の先にポンプを取り付ける。反対側の先にシャワーヘッドを取り付ける。
本発明は、以上の構成によりなる浴槽に溜めたお湯を利用した簡易シャワー器具である。
【発明の効果】
【０００５】    本発明を利用し、浴槽に溜めたお湯を、簡単にシャワーとして洗髪等に利用することができる。
シャワーのない浴室や屋外等でも、溜めたお湯があれば簡単にシャワーとして使用できる。
【図面の簡単な説明】
【０００６】
【図１】    本発明の斜視図である。
【図２】    本発明の使用状態の図である。
【発明を実施するための形態】
【０００７】    以下、本発明の実施の形態を説明する。
（イ）ホース（１）の片側の先にポンプ（２）を取り付ける。
（ロ）ホース（１）の反対側の先に、シャワーヘッド（３）を取り付ける。
（ハ）ポンプ（２）の通電部分は、感電をさけるため、絶縁体の物質（ゴム等）で覆う。
（ホ）ポンプが浴槽内で倒れないように、ふちに設置でき、高さの調節のできる取っ手（４）を取り付ける。
（ヘ）ポンプの上部にスイッチ（５）を取り付ける。
（ト）どこでも使えるように電源を電池式として、電池投入口（６）を設ける。
（チ）ポンプ、ホース、シャワーヘッド内部は抗菌仕上げとする。
本発明は以上の構成によりなる。
本発明を使用する場合は、ポンプ部分を浴槽に沈め、スイッチを入れることにより、シャワーからお湯が出る。
【符号の説明】
【０００８】（１）ホース、（２）ポンプ、（３）シャワーヘッド、（４）取っ手、（５）スイッチ、（６）電池投入口
【図１】
2011062484.tif 000003
【図２】
2011062484.tif 000004
(57)【要約】【課題】    浴槽の湯水の中の、体毛や垢等のゴミを除去する為に、湯水と共に浴槽の外に排出してゴミを除去する器具を提供する。【解決手段】    家庭用の灯油ポンプの空気入れのネジキャップの構造部をなくしたポンプ▲１▼の吸入管▲２▼に、釣鐘を押しつぶしたような扁平な断面をした適当な大きさの吸水口カップ▲３▼と排水ホース▲６▼を設けたことを特徴とする。【選択図】図１
2011062483.tif 000002
【特許請求の範囲】
【請求項１】
家庭用の灯油ポンプの空気入れのネジキャップを無くした以外は同じ構造をした適当な大きさのポンプ▲１▼に、適当な長さにした吸入管▲２▼と、適当な長さにした排水ホース▲６▼を設け、吸入管▲２▼の先に、釣鐘を押しつぶしたような扁平な断面をした適当な大きさの吸水口カップ▲３▼を設けてなる湯水の中のゴミを排出するゴミ取り器具。
【請求項２】
中央に適当な長さの吸入管▲２▼を設け、上部に適当な大きさの穴▲４▼▲４▼▲４▼▲４▼を設け、側面から見て先端部の両側を斜めに浅くカットしてなる吸水口カップ▲３▼を設けてなる請求項１の湯水の中のゴミを排出するゴミ取り器具。
【発明の詳細な説明】
【発明の詳細な説明】
【技術分野】
【０００１】  この発明は、浴槽の湯水の中の体毛や垢等のゴミを除去する為に、湯水と共に浴槽の外に排出してゴミを除去する器具に関するものである。
【背景技術】
【０００２】  従来、入浴する人に不潔感を与えない為に、浴槽の湯水の中の浮いていたり沈んでいたり漂っている体毛や垢等のゴミを除去する方法は、家庭用灯油ポンプを使って、湯水と共に、底に沈んでいる垢や泥等を浴槽外に排出して取っているが、吸込み口が小さいし、水流が起こってゴミが浮遊してしまい時間が掛かっていた。
【発明が解決しようとする課題】
【０００３】  これは、次のような欠点があった。
（イ）家庭用灯油ポンプを使って、底に沈んでいたり漂っている垢や泥等を取る為に、湯水と共に排出する時、吸込み口が小さくて時間が掛かるし、吸込み口を移動させる時に、水の流れが起こり、ゴミが浮遊拡散して取りにくかった。
（ロ）ゴミが取れない時は、湯を入替えなければならず、湯水の入替え時間や、お湯を沸かすエネルギーや、湯水がもったいなかった。
本発明は、これらの欠点を解決する為になされたものである。
【課題を解決するための手段】
【０００４】  家庭用の灯油ポンプの空気入れのネジキャップ部の構造部を無くしたポンプ▲１▼に、適当な長さの吸入管▲２▼と適当な長さにした排水ホース▲６▼を設けて、ポンプ▲１▼の吸入管▲２▼には、釣鐘を押しつぶしたような扁平な断面をした適当な大きさの吸水口カップ▲３▼を設ける。
本発明は、以上の構成よりなる浴槽の湯水の中のゴミを、サイフォンの原理を使って、湯水と共に吸込んで排出させる器具である。
【発明を実施するための形態】
【０００５】以下、本発明の実施の形態について説明する。
（イ）家庭用の灯油ポンプの空気入れのネジキャップ部を無くした以外は同じ構造をした適当な大きさのポンプ▲１▼（以下  ポンプ▲１▼とする）に、適当な長さの吸入管▲２▼と適当な長さの排水ホース▲６▼を設けて、ポンプ▲１▼の吸入管▲２▼に釣鐘を押しつぶしたような扁平な断面をした適当な大きさの吸水口カップ▲３▼を設ける。
（ロ）吸水口カップ▲３▼の中の吸入管▲２▼の先端は、吸水口カップ▲３▼の先端に近い適当な位置まで差し込んだ形で設ける。
（ハ）吸水口カップ▲３▼の上部に、適当な大きさの穴▲４▼▲４▼▲４▼▲４▼を設ける。
（ニ）吸水口カップ▲３▼の先端部のゴミ等の吸込み口▲７▼は、扁平な幅広の両側を側面から見て斜めにカットした形にする。
（ホ）排水ホース▲６▼は、先端が浴槽の壁▲８▼を越して湯水の表面の高さより低い位置になるような適当な長さに設ける。
本発明は、以上のような構成で、これを使用する時は、先ず、湯水の上層部に吸水口カップ▲３▼を入れる。その時、吸水口カップ▲３▼の中の空気や湯水は穴▲４▼▲４▼▲４▼▲４▼から出る。次に、ポンプ▲１▼を作動させて排水ホースから湯水が流れ出したら作動を止めて、吸水口カップ▲３▼を浴槽の底に沈んでいるゴミや漂っているゴミの上に静かに下ろす。すると、吸水口カップ▲３▼の先端が幅が広くて扁平な長楕円形なので、広い範囲のゴミを集めて吸込める。そして、吸水口カップ▲３▼の先端のカット部から入ってきたゴミと湯水は、近い距離に設けてある吸入管▲２▼の先端に集まって来て引き込まれて排出できる。次に、近くのゴミのある場所に吸水口カップ▲３▼を立てたまま、或いは、吸水口カップ▲３▼を斜めにして先端の幅広カット部を底に当てながら、ゆっくりと底に沿って移動させてゴミを排出する。又、湯水の表面に浮いているゴミは、吸水口カップ▲３▼の中の吸入管▲２▼の先端を湯水の表面上に出さないようにして吸水口カップ▲３▼に取り込み、又、中層に浮遊しているゴミも同様に吸水口カップ▲３▼に取り込んで湯水と共に排出させる。
【発明の効果】
【０００６】  湯水と共にゴミを吸入して排出する方式で、吸込み口▲７▼が幅広で薄く、カップの上部に穴▲４▼▲４▼▲４▼▲４▼を設けてある為に、水流の乱れも少なく出来て、ゴミの拡散も少なくて一度に広範囲のゴミを吸込めるので、従来よりも短時間で、底に沈んでいる体毛や漂っている細かい垢や泥等のゴミや、中層や表面に浮いているゴミも排出する事が出来る。それにより、気持ち良く入浴出来る。また、湯水の汚れを少なく出来るので、湯水の交換回数も減らせて、湯水を交換する為の時間と熱エネルギーと湯水の消費量を減らす事も出来る。
【図面の簡単な説明】
【０００７】
【図１】本発明の斜視図
【図２】本発明の吸水口カップの正面断面図
【図３】本発明の吸水口カップの側面断面図
【図４】本発明の湯水の底のゴミを取っている側面図
【図５】本発明の湯水の表面のゴミを取っている側面図
【図６】本発明の使用状態を示す斜視図
【符号の説明】
【０００８】１  ポンプ
２  吸入管
３  吸水口カップ
４  小穴
５  排出管
６  排水ホース
７  吸込み口
８  浴槽の壁
【図１】
2011062483.tif 000003
【図２】
2011062483.tif 000004
【図３】
2011062483.tif 000005
【図４】
2011062483.tif 000006
【図５】
2011062483.tif 000007
【図６】
2011062483.tif 000008
(57)【要約】【課題】そば等を茹でるとき、灰汁による吹きこぼれを防止する、液体の片寄せ対流を生じさせる段違い２段鍋底形状の鍋を提供する。【解決手段】鍋底を段違い２段にすることで直接加熱される鍋底（２）と直接加熱されない鍋底部（１）を設ける。直接加熱される鍋底（２）で温められた液体は水面に向かって上昇対流し、直接加熱されない鍋底（１）に接する液体は直接加熱される鍋底（２）に向かって下降対流をします。水面で発生した灰汁（３）は加熱されない鍋底（１）の上方の温度の低い水面に溜まります。しがって、灰汁（３）は水面を覆うことが無く、灰汁による吹きこぼれが発生しません。【選択図】図１
2011062489.tif 000002
【特許請求の範囲】
【請求項１】
段違いの鍋底を有する鍋。
【発明の詳細な説明】
【技術分野】
【０００１】  この発明は、直接加熱されない鍋底を新たに設けた段違い２段鍋底による、吹きこぼれのない鍋に関するものである。
【背景技術】
【０００２】  従来、鍋底は１平面の鍋底全面加熱になっていた。
【発明の開示】
【発明が解決しょうとする問題】
【０００３】  これは次のような欠点があった。
鍋に液体を入れ加熱する際に、鍋底が加熱され液体が中央対流になり発生した灰汁が水面を覆い爆発（吹きこぼれ）を起こしていた。
本発明は、以上のような欠点をなくすためになされたものである。
【課題を解決するための手段】
【０００４】  直接加熱される鍋底（２）と直接加熱されない鍋底（１）を設けることにより液体の対流を片寄せ対流にし、灰汁を鍋淵に寄せ灰汁が水面に広がることを防止するものである。
【発明の効果】
【０００５】  そばなどを茹でる際、灰汁が水面に広がらず鍋淵に溜まり吹きこぼれの防止になる。
【発明を実施するための最良の形態】
【０００６】  以下、本発明を実施するための最良の形態について説明する。
鍋底を段違い２段にすることで直接加熱される鍋底（２）で温められた液体は水面に向かって上昇対流し、直接加熱されない鍋底（１）に接する液体は直接加熱される鍋底（２）に向かって下降対流します。水面で発生した灰汁（３）は加熱されない鍋底（１）の上方溜まります。
【図面の簡単な説明】
【０００７】
【図１】本発明の断面図
【図２】従来品の断面図
【符号の説明】
【０００８】１  直接加熱されない鍋底
２  直接加熱される鍋底
３  灰汁
【図１】
2011062489.tif 000003
【図２】
2011062489.tif 000004
(57)【要約】【課題】ペーパーホルダー３・４に装着された、トイレットペーパー６を巻き取る際、ペーパーホルダー芯軸２・５の回転のがたつきが起こり、ペーパーホルダー３・４から不快な音を発生させていた、現状では上記、回転のがたつきと不快な音を修正出来る製品はなかった。【解決手段】ペーパーホルダー芯軸２・５にゴム類及びビニール類・ウレタン等、弾力の有る素材及びプラスチック類・布類等で作った、チューブ状の本発明品１を取り付ける事で、トイレットペーパー中心の空洞部分とペーパーホルダー芯軸２・５との間に出来た隙間を緩和し、トイレットペーパー６を巻き取る際に起きる、ペーパーホルダー芯軸２・５の回転のがたつきを無くし、ペーパーホルダー３・４から発生した、不快な音を解消する。【選択図】図２
2011062487.tif 000002
【特許請求の範囲】
【請求項１】
本発明品は、トイレットペーパーホルダーの、ペーパーホルダー芯軸とトイレットペーパー中心の空洞部分との間に出来た隙間を緩和させ、ペーパーホルダー芯軸の回転のがたつきと、ペーパーホルダーからの不快な音を解消する為の、ゴム類・ビニール類、ウレタン等弾力の有る素材及びプラスチック類・布類等でチューブ状に作った、ペーパーホルダー芯軸を覆う製品である。
【請求項２】
本発明品の外周部分の表面は、スポンジ状及びブラシ状等トイレットペーパー中心の空洞部分とペーパーホルダー芯軸との間の隙間を緩和させる形状となっている、取り付けるペーパーホルダーのデザイン・形状により、本発明品のサイズ・形状・素材が異なることも考えられる、例えば、取り付けるペーパーホルダー芯軸の太さに依り、本発明品の内径が変わるものである。
【請求項３】
本発明品をペーパーホルダー芯軸から外れ難くする目的で、本発明品の内側に両面テープを貼るなどで、ペーパーホルダー芯軸に強く定着する方法もある。
【請求項４】
従来のペーパーホルダーの芯軸に、本発明品を取り付け、ペーパーホルダー芯軸に本発明品を固定する事でも同じ効果を得られる、依って、本発明品をペーパーホルダー芯軸に取り付けたペーパーホルダー製品も考えられる。
【発明の詳細な説明】
【技術分野】
【０００１】  本発明品は、ロール型トイレットペーパーホルダー（以降はペーパーホルダーと省略する）に取り付けられた、ロール型トイレットペーパー（以降はトイレットペーパーと省略する）を巻き取る際に起きるペーパーホルダー芯軸の回転のがたつきとペーパーホルダーから生じる、不快な音を解消する為の製品である。
【背景技術】
【０００２】  通常多く使用されているペーパーホルダー芯軸の直径と、トイレットペーパー中心の空洞部分の直径では、ペーパーホルダー芯軸の方が細く出来ている、その違いの大きさから、ペーパーホルダー芯軸とトイレットペーパー中心の空洞部分との間に回転のがたつきを起す隙間が出来ていた。【０００３】  上記、隙間は、ペーパーホルダー芯軸の回転のがたつきを起こし、その回転のがたつきがペーパーホルダーから不快な音を発生させていた、現状では、ペーパーホルダー芯軸の回転のがたつきとそれによる不快な音を解消出来る製品は無かった。
【発明の概要】
【発明が解決しようとする課題】
【０００４】  現状多く使われているペーパーホルダーに取り付けられた、トイレットペーパーを巻き取る際、ペーパーホルダー芯軸に回転のがたつきが起こる、また、その回転のがたつきが不快な音を発生させていた。
【課題を解決するための手段】
【０００５】  ゴム類・ビニール類・ウレタン等弾力の有る素材及びプラスチック類・布類等で作成した、チューブ状の本発明品を、ペーパーホルダーの芯軸に取り付ける、その効果に依り、トイレットペーパー中心の空洞部分と、ペーパーホルダー芯軸との隙間を緩和し、上記、課題を解決する。【０００６】  使用可能なペーパーホルダーは、図２に示したペーパーホルダー芯軸が脱着可能なタイプ３または、図３に示したトイレットペーパー中心の空洞部分にペーパーホルダー芯軸を通すタイプで芯軸が固定されているペーパーホルダー４に概ね使用出来る。
【発明の効果】
【０００７】  本発明品をペーパーホルダー芯軸に取り付ける事に依り、トイレットペーパー中心の空洞部分と、ペーパーホルダー芯軸との間に生じた隙間を緩和することができる、隙間が緩和される事でトイレットペーパーを巻き取る際にペーパーホルダー芯軸の回転のがたつきが無くなり、ペーパーホルダー芯軸の回転が滑らかになる、また、その効果に依り、ペーパーホルダーから生じていた、不快な音を解消出来る。
【図面の簡単な説明】
【０００８】
【図１】  本発明品及びペーパーホルダー芯軸に本発明品を取り付けた図
【図２】  ペーパーホルダー（芯軸脱着タイプ）及びペーパーホルダーに本発明品を取り付けた図
【図３】  ペーパーホルダー（芯軸固定タイプ）及びペーパーホルダーに本発明品を取り付けた図
【図４】  ロール型トイレットペーパー
【発明を実施するための形態】
【０００９】  以下本発明の実施するための形態を図１に基づいて説明する。
【００１０】  本発明品１は、ゴム類・ビニール類・ウレタン等、弾力の有る素材及びプラスチック類・布類等で形成する、形状は、チューブ状で、横幅は、現に取り付けるペーパーホルダー芯軸の横幅以内にする、内側は、ペーパーホルダー芯軸を挿入出来る空洞であり、外側部分は、スポンジ状及びブラシ状等ペーパーホルダー芯軸とトイレットペーパー中心部分の空洞との隙間を緩和出来る形状である。
【００１１】  本発明品の横幅及び内外周等の形状は、現に取り付けるペーパーホルダー芯軸に合わせる。
【実施例】
【００１２】  本発明品１を、ペーパーホルダー芯軸２・５に取り付け、トイレットペーパー６を、本発明品１を取り付けたペーパーホルダー芯軸２・５に取り付けて、トイレットペーパーホルダー３・４を使用する。
【符号の説明】
【００１３】１  本発明品  ペーパーホルダー  くるくるシーン（芯）【００１４】２  ３の芯軸【００１５】３  ロール型トイレットペーパーホルダー（芯軸脱着タイプ）【００１６】４  ロール型トイレットペーパーホルダー（芯軸固定タイプ）【００１７】５  ４の芯軸【００１８】６  ロール型トイレットペーパー
【図１】
2011062487.tif 000003
【図２】
2011062487.tif 000004
【図３】
2011062487.tif 000005
【図４】
2011062487.tif 000006
(57)【要約】【課題】上前たてと下前たての両方を挟み込めるようなピンを造る。【解決手段】前たて留めピン（仮称・一例）は、Ｓ字型の形状をしたピンタイプのもので、ワイシャツの上前たてと、下前たてを挟み込むことで、両前たてを留めることができ、第二ボタンを外しても、第三ボタンまで上前たては全開することがない。（これにより第二ボタンを外して前たてを開いても適度な開放感と見た目の良さを実現する）【選択図】図２
2011062488.tif 000002
【特許請求の範囲】
【請求項１】
・シャツの上前たてと下前たてを留める器具。
・前たて留めピン種は、図２、図３のような、前たて留めピン（仮称・イメージ）があり、上下前たてを留める機能を備える。
【発明の詳細な説明】
【技術分野】
【０００１】  衣類（ボタンピン）着用
【背景技術】
【０００２】  地球温暖化の影響を受けて、クールビズと称して地球規模による温暖化防止対策を検討する昨今、サラリーマン業界では、各企業がネクタイ着用を止めて、クールビズ対策としてノータイスタイル（姿）が一般化している。
このような状況の中、ワイシャツの第一ボタンを開けて、第二ボタンを留めるスタイルが、一般サラリーマンの常識的なスタイルとなっているが、現実にはこの第二ボタンを外すことで、更に体感的に涼しく感じることは誰もが実感するものである。
しかしながら、見た目から（だらしなく感じる）では、この第二ボタンを外すことができず（見た目、企業の雰囲気、他）に、違和感（暑苦しい）さえ覚える人は少なくはない。
このような状況（問題）において、第二ボタンと第三ボタン間に、ワイシャツのボタン代わりとなる、上前たてと下前たてを留めるピンを装着することで、第二ボタンを外し、第三ボタンの手前までワイシャツを開けて、見た目にも違和感の無いものとする。
【発明の開示】
【発明が解決しようとする課題】
【０００３】ワイシャツにおける第二ボタンを外して、第三ボタンまで全開しないで、上前たてと下前たてを留める、ピン（類似：ネクタイピン、ヘヤーピンのようなもの）のような器具を作り自由に第二ボタンと第三ボタンの間で、両前たてを留めることができるようにする。
【課題を解決するための手段】
【０００４】図１で示す、ワイシャツ１ａの第二ボタン１ｋと第三ボタン１ｍの間で、前たて留めピン（仮称）１０のようなもので（イメージ）下前たて１ｃと上前たて１ｂを留めることができる。
図２で示す、前たて留めピン（仮称・一例）は、Ｓ字型の形状をしたピンタイプのもので、上前たて１ｄを１ｅと１２の間に挟み、下前たて１ｆを１１と１３間に挟み込むことで、両前たてを留めることができ、図１の第二ボタン１ｋを外しても上前たては、第三ボタン１ｍまでを開くことはなく、適度な開放感と見た目の良さを維持する。
【発明の効果】
【０００５】▲１▼第二ボタンを外しても見苦しく無く、違和感のない状態（ファッション感覚）とすることで、第二ボタンを外すことができる。
▲２▼上下前たてを留め器具のような物に、ファッション性を持たせて、サラリーマン等が装着して、第二ボタンを公に外すことで、更に涼しさを実感する効果が生まれ、クールビズ推進に貢献できる。
【発明を実施するための最良の形態】
【０００６】類似品として、ネクタイピンもしくは、ヘヤーピン（形状、目的は異なる）のように、ファッション性を持たせて、容易にワイシャツの第二ボタンと第三ボタン間の上前たてと、下前たてを留めることができる物とする。
【実施形態の効果】
【０００７】▲１▼第二ボタンが容易に公に外せる。
▲２▼前たて留めピン（仮称）を装着することで、第二ボタンを容易に外せて、更に涼しさを実感できる。
▲３▼前たて留めピン（仮称）には、ファッション性を持たせる（物によっては手前に飾り物を付ける）ことで、誰でも公に第二ボタンを外すことができる。
【図面の簡単な説明】
【０００８】
【図１】・・・・前たて留めピン（仮称）を装着した際の位置を示す図
【図２】・・・・前たて留めピン（仮称）上部から見た拡大図
【図３】・・・・ピン留め型形状の拡大図
【図４】・・・・前たて留めピン（仮称）に、上前たてと下前たてを装着した図説
【図１】
2011062488.tif 000003
【図２】
2011062488.tif 000004
【図３】
2011062488.tif 000005
【図４】
2011062488.tif 000006
(57)【要約】【課題】旅行時に、手荷物が増えても楽に移動できる、キャリーバック付属ケースを提供する。【解決手段】長方形容器状ワク（１）にキャリーバックのハンドル止め（２）を設け、既存のキャリーバックのハンドルに通し装着することで、長方形容器状のワクができ、そのワクの中に、手荷物を収納し、楽に移動できることを特徴とするキャリーバック付属ケース。【選択図】図１
2011062495.tif 000002
【特許請求の範囲】
【請求項１】
長方形容器状ワク（１）の一部に、キャリーバックのキャリーハンドルを通すキャリーハンドル止め（２）を設け、既存のキャリーバックのハンドルに装着、キャリーバックの上に置くことで長方形容器状のワクができ、このワクの中に荷物が収納できる。
長方形容器状ワク（１）の相対する２面の中央部を内側に折り曲げ、折り曲げない側部の外側にキャリーハンドル止め（２）を設けたことを特徴とするキャリーバック付属ケース。
【発明の詳細な説明】
【技術分野】
【０００１】この発明は、旅行中に手荷物が増えても、キャリーバック付属ケースの中に収納して安定して楽に移動ができる補助具である
【背景技術】
【０００２】旅行中、手荷物が増えると手で幾つも荷物を持って移動していた。
【発明の開示】
【発明が解決しようとする課題】
【０００３】これは次のような欠点があった。
旅行中に土産等の荷物が増えて、キャリーバック収納不可能になってしまい、荷物を手で持って移動することになる。
本発明は、以上のような欠点をなくすためになされたものである。
【課題を解決するための手段】
【０００４】長方形容器状ワク（１）にキャリーハンドル止め（２）を設け、既存のキャリーバックのハンドルに通し装着する。
本発明は、以上の構成よりなるキャリーバック付属ケースである。
【発明の効果】
【０００５】本発明は、旅行中手荷物が増えても、キャリーバック付属ケース中に収納、安定して楽に移動ができ荷物を持つ煩わしさから解放され、折りたたみ式で不使用時は一枚になりキャリーバックの中に収納ができ便利である。
【発明を実施するための最良の形態】
【０００６】以下、本発明を実施するための最良の形態について説明する。
（イ）長方形容器状ワク（１）にキャリーハンドル止めを（２）設け、既存のキャリー      バックのハンドルに通し装着。
（ロ）通すことでキャリーバックの上に長方形容器状のワクができる。
本発明は、以上の構成よりなっている。
これを使用するときは、既存のキャリーバックに装着、長方形容器状のワクができるために、手荷物を収納、荷物がキャリーバックから動くことがなく安定して楽に移動ができる。
大量の荷物がキャリーバック付属ケースに収納できる。
【図面の簡単な説明】
【０００７】
【図１】本発明の斜視図
【図２】本発明の分解斜視図
【図３】本発明の使用状態を示す斜視図
【符号の説明】
【０００８】  １  長方形容器状ワク
２  キャリーハンドル止め
【図１】
2011062495.tif 000003
【図２】
2011062495.tif 000004
【図３】
2011062495.tif 000005
(57)【要約】【課題】  本発明は、乗り物のシート、ヘッドレストに突起付き球体ソフト弾発を枕の両端に設け、中央凹部に低反発ウレタン、スポンジ、綿等のクッションを設けたあんま枕を提供する。【解決手段】  設定本体基板（２）弾力板に掌、指、握力安定ウェーブを設け、突起付き球体（３）を基板（２）の両端に設け、基板中央凹部に低反発ウレタン、スポンジ、綿等のクッション材（４）を設け、あんま枕（１）を構成し、これらの本体に設定されたものを収納し活用する専用カバーに係止部（７）、手首を通すループ（８）を設け、係止部（７）に、ベルト（５）、ベルト止め具（６）を取り付け、専用カバーに着脱容易な開口部を設けたことを特徴とするあんま枕。【選択図】図１
2011062492.tif 000002
【特許請求の範囲】
【請求項１】
（イ）設定本体基板（２）弾力板に掌、指、握力安定ウェーブを設ける。
（ロ）突起付き球体（３）を基板（２）の両端に設ける。
（ハ）基板中央凹部に低反発ウレタン、スポンジ、綿等のクッション材（４）を設ける。
（ニ）あんま枕（１）を構成する。
（ホ）これらの本体に設定されたものを収納し活用する専用カバーに係止部（７）、手首を通すループ（８）を設ける。
（ヘ）係止部（７）に、ベルト（５）、ベルト止め具（６）を取り付ける。
（ト）専用カバーに着脱容易な開口部を設ける。
以上のように構成されたあんま枕。
【発明の詳細な説明】
【技術分野】
【０００１】  本発明は、乗り物のシート、ヘッドレストに突起付き球体ソフト弾発を枕の両端に設け、中央凹部に低反発ウレタン、スポンジ、綿等のクッションを設けた物である。
基板台に握力し易い部分に指、掌感覚に即したウェーブカットをした本体基板等を覆う専用カバーにベルト通し、ベルト止め具、バランス重りに依り装着容易であり、ループに手首、掌を通して圧力加減用のループを設けた三段階、遠心分離応用クッション、エコ、自圧、弾力たたき、あんまができる。
頚椎保護、乗り物、就寝用のあんま枕に関するものである。
【背景技術】
【０００２】  従来、乗り物用の枕には、単に首を載せ簡単な凹や刺激突起付き、形状は円形、馬蹄型で首周りを巻く状態で圧迫感や風船のようにエアーの吹き込みや、エアー抜き取り扱いが複雑である物が多く、ビニール風船状なので、熱がこもったり、不快感があった。
本発明は、限られたスペースの中に長距離、長時間の乗り物の中で、リラックス、仮眠に、頚椎を保護するため首周りを開放的にリラックススタイルができる。
枕であり、限られたスペースの中の姿勢は筋肉の緊張で腓返りや体調不調を起し易いため、凝りやリンパの流れを良くするためソフト弾発球体、中部クッションの三段階、遠心分離あんまたたきを、掌、手首をループに通すことによって軽く加圧するのみである。
楽々リズミカルに全身を好む処をあんま、自圧たたきができ、疲労感を軽減し、コンパクトに二つ折り、軽量であり、トラベルに、就寝時の枕の高さ調節に転げ落とし防止に幅広く応用するエコあんま枕である。
【発明の概要】
【発明が解決しようとする課題】
【０００３】  そのために、次のような問題点がある。
背もたれシートに仮眠、リラックス中に首が不安定になり頭部や体の横ずれをし、体が傾斜、長時間、長距離、限られたスペースの中で、首、肩、背、腰の痛み、目の疲れ、血流の滞りのため、体調に支障を起こしがちであった。
就寝時には、頭と首と肩の空間に頚椎部の重圧感が意識されない重要な支え、ソフト、クッションによる保護をすることによって、体の不調をガードして、筋肉の凝り、ほぐし、あんま、自圧エコ枕たたきができる。
軽量コンパクトになる。
本発明は、これらの問題点を解決されるためになされたものである。
【課題を解決するための手段】
【０００４】（イ）設定本体基板（２）弾力板に掌、指、握力安定ウェーブを設ける。
（ロ）突起付き球体（３）を基板（２）の両端に設ける。
（ハ）基板中央凹部に低反発ウレタン、スポンジ、綿等のクッション材（４）を設ける。
（ニ）あんま枕（１）を構成する。
（ホ）これらの本体に設定されたものを収納し活用する専用カバーに係止部（７）、手首を通すループ（８）を設ける。
（ヘ）係止部（７）に、ベルト（５）、ベルト止め具（６）を取り付ける。
（ト）専用カバーに着脱容易な開口部を設ける。
以上のように構成されたあんま枕である。
【発明の効果】
【０００５】  本発明は突起付き球体、弾発力ソフトクッションに依る頚椎保護とあんまたたき、筋肉の強張りを全身ほぐすあんまと、リラックス、衝撃防止、軽量コンパクトになるワンタッチ、エコ、自圧、あんま器と枕のワンタッチで、乗り物、背もたれ、リラックスチェアにベルト、枕とバランス重りで装着できるあんま枕である。
【図面の簡単な説明】
【０００６】
【図１】  本発明の斜視図である。
【図２】  本発明の分解斜視図である。
【図３】  本発明の使用状態を示した説明図である。
【図４】  本発明の使用状態を示した説明図である。
【図５】  本発明の使用状態を示した説明図である。
【図６】  本発明の使用状態を示した説明図である。
【図７】  本発明の使用状態を示した説明図である。
【発明を実施するための形態】
【０００７】  以下、本発明の形態について説明する。
設定本体基板（２）弾力板に掌、指、握力安定ウェーブを設け、突起付き球体（３）を基板（２）の両端に設け、基板中央凹部に低反発ウレタン、スポンジ、綿等のクッション材（４）を設け、あんま枕（１）を構成する。
これらの本体に設定されたものを収納し活用する専用カバーに係止部（７）、手首を通すループ（８）を設ける。
係止部（７）に、ベルト（５）、ベルト止め具（６）を取り付ける。
専用カバーに着脱容易な開口部を設ける。
以上のように構成されたあんま枕である。
ソフト弾発を重視した素材を用いた基板（２）の両端に突起付き球体（３）、中央凹部にクッション材（４）を設け、専用カバーに掌、手首通しループ（８）、係止部（７）でワンタッチ装着可能、軽量、コンパクト、凝りほぐし、あんま、たたき、血流効果、頚椎保護枕、背もたれ、ワンタッチ装着ベルトや枕とバランス重りになる。
重りでベルトに代わることもできる。
本発明の後頭耳下両脇より、ソフト突起球体、クッション材により頚椎保護、首、背、腰への疲労を抑えるためのリラックス効果、三段階遠心分離応用クッションによるあんま、自圧、エコ、枕である。
【符号の説明】
【０００８】    １  あんま枕
２  基板
３  突起付き球体
４  クッション材
５  ベルト
６  ベルト止め具
７  係止部
８  ループ
【図１】
2011062492.tif 000003
【図２】
2011062492.tif 000004
【図３】
2011062492.tif 000005
【図４】
2011062492.tif 000006
【図５】
2011062492.tif 000007
【図６】
2011062492.tif 000008
【図７】
2011062492.tif 000009
(57)【要約】【課題】接着テープで固定するフックは、剥がれやすく糊が残りやすいまた、ネジ止めするフックは木部のみ可能であり、撤去後穴跡が残る。  本発明は、固定、取り外しや固定箇所変更が容易に出来る脚フックを提供する。【解決手段】Ｊ字型のフックを設け、スベリ防止シートでずり落ちを防止し、ワンタッチテープで固定する。【選択図】図２
2011062494.tif 000002
【特許請求の範囲】
【請求項１】
フックをテーブルやイスの脚などに、接着テープやネジを使用せず固定や取り外しが、容易に出来る脚フック。
【請求項２】
木製、金属製の角、丸パイプ脚などに対応する請求項１の脚フック。
【発明の詳細な説明】
【技術分野】
【０００１】  本発明は、テーブルやイスの脚などに、フックの固定や取り外しを容易に出来るようにした脚フックに関するものである。
【背景技術】
【０００２】  従来は、接着テープで貼りつけるか、ネジで固定するものである。
【発明の概要】
【発明が解決しようとする課題】
【０００３】  接着テープで固定するフックは、剥がれやすく糊が残りやすいまた、ネジ止めするフックは木部のみ可能であり、撤去後穴跡が残る。
本発明は、以上の問題点を解決するためになされたものである。
【課題を解決するための手段】
【０００４】  Ｊ字型のフックを設け、スベリ防止シートでずり落ちを防止し、ワンタッチテープで固定する。
【発明の効果】
【０００５】  角パイプ脚はもちろん従来困難だった丸パイプ脚にも、本発明により容易に固定や取り外しが出来る。
固定箇所も、容易に変えられ接着テープの糊やネジの穴跡が残らずフック、スベリ防止シート、ワンタッチテープは再度使用出来る。
【図面の簡単な説明】
【０００６】
【図１】本発明で使用のワンタッチテープ断面図
【図２】本発明の使用状態を示す斜視図
【図３】本発明の使用状態を示す断面図
【発明を実施するための形態】
【０００７】  以下、本発明の実施の形態を説明する。
（イ）スベリ防止シート（１）を設ける。
（ロ）Ｊ字型フック（２）を設ける。
（ハ）軟質、硬質を背合わせにしたワンタッチテープ（３）を設ける。
本発明は以上のような構成である。
本発明を使用するときは、スベリ防止シート（１）をフック（２）固定部周囲の長さとし、ワンタッチテープ（３）は固定周囲の約１，５倍の長さとする。
ワンタッチテープ（３）は、硬質側をスベリ防止シート（１）側とする。
スベリ防止シート（１）を固定箇所に巻き付けこれに、Ｊ字型フック（２）をワンタッチテープ（３）で巻き付ける。
【符号の説明】
【０００８】（１）スベリ止めシート、（２）Ｊ字型フック、（３）ワンタッチープ、（４）丸パイプ
【図１】
2011062494.tif 000003
【図２】
2011062494.tif 000004
【図３】
2011062494.tif 000005
(57)【要約】【課題】便通を促すにわ、いきんで促していたが、いきむ事により血圧が上がり脳血管破裂の危険性が非常に高かった。本発明は、便通を安全に誘発できる快便誘発刺激具を提供する。【解決手段】（イ）（１）ベース本体のセンター振り分け左右に（２）快便誘発刺激ブッシュを設ける。（ロ）（１）ベース本体の両端に（３）ストッパーを設ける。【選択図】図１
2011062499.tif 000002
【特許請求の範囲】
【請求項１】
（イ）（１）ベース本体のセンター振り分け左右に（２）快便誘発刺激ブッシュを設ける。
（ロ）（１）ベース本体の両端に（３）ストッパーを設ける。
以上の構造からなる快便誘発刺激具。
【発明の詳細な説明】
【技術分野】
【０００１】本発明は、トイレで排便をする時、お尻を刺激して便通の誘発を促す快便誘発刺激具に関するものである。
【背景技術】
【０００２】従来、便通を促すにわ、いきんで促す方法が取られている。
【発明の開示】
【発明が解決しようとする課題】
【０００３】（イ）便通を促すにわ、いきんで促しているが、いきむ事により血圧が上がり脳血管破裂傷害が起きる危険性が非常に高かった。
（ロ）いきむ事により、痔を併発してしまう事もある。
本発明は、以上の問題点を解決するためになされたものである。
【課題を解決するための手段】
【０００４】（イ）（１）ベース本体のセンター振り分け左右に（２）快便誘発刺激ブッシュを設ける。
（ロ）（１）ベース本体の両端に（３）ストッパーを設ける。
以上の構成よりなる快便誘発刺激具。
【発明の効果】
【０００５】（イ）従来便通を促すのに、いきむため脳血管障害が起きる可能性が非常に高かったが、本発明により、いきむ事がないため脳血管障害がゼロになったといっても過言ではなく、かつ心地良い便通を促す事が出来るようになった。
（ロ）いきむ事がないため痔を併発する事もなくなった。
【発明を実施するための最良の形態】
【０００６】（イ）（１）ベース本体のセンター振り分け左右に（２）快便誘発刺激ブッシュを設ける。
（ロ）（１）ベース本体の両端に（３）ストッパーを設ける。
本発明は以上のような構造である。【０００７】本発明のセット場所は、図２のように便座のリヤーお尻側に（２）快便誘発刺激ブッシュが向くように快便誘発刺激具をセットする。【０００８】本発明の使用方法は、図２のように通常どうり便座に腰を掛け体を振り子のように左右に軽く動かすことにより（２）快便誘発刺激ブッシュがお尻に交互に刺激を与え、体を左右に動かす事により腸も刺激を受け心地よい排便をすることができる。
【図面の簡単な説明】
【０００９】
【図１】本発明の斜視図
【図２】本発明の使用状態を示す斜視図
【符号の説明】
【００１０】（１）ベース本体
（２）快便誘発刺激ブッシュ
（３）ストッパー
（４）便座
【図１】
2011062499.tif 000003
【図２】
2011062499.tif 000004
(57)【要約】【課題】椅子式勉強机の下にコタツ補助台を置いて、既存のコタツを装着して暖を取る椅子式勉強机下に置くコタツ補助台を提供する。【解決手段】横支柱（１）４本を上部Ｙつなぎを介して連結した上部ワクと、横支柱（３）４本と下部Ｙつなぎを介して連結した下部ワクに、縦支柱（２）４本を上部Ｙつなぎと下部Ｙつなぎを介して連結し、既存のコタツを装着して快適に暖をとることを特徴とするコタツ補助台。【選択図】図１
2011062496.tif 000002
【特許請求の範囲】
【請求項１】
椅子式勉強机の下にコタツ補助台置いて、既存のコタツを装着して暖をとるためのコタツ補助台で、全体は横支柱８本、縦支柱４本、Ｙつなぎ８個、キャップ８個からなり、横支柱（１）４本は上部Ｙつなぎ（４）を介して連結し、横支柱（３）４本は下部Ｙつなぎ（５）を介して連結し、縦支柱（２）４本は上部Ｙつなぎ、下部Ｙつなぎを介して連結して、既存のコタツを装着するコタツ補助台。
【発明の詳細な説明】
【技術分野】
【０００１】  本発明は椅子式勉強机の下にコタツ補助台を置いて、既存のコタツを装着して暖を取ることを目的とする椅子式勉強机の下に置くコタツ補助台に関するものである。
【背景技術】
【０００２】  従来、冬、子供が勉強するのに電気ひざかけ、クーラーの暖房、ファンヒーター、電気スリッパを使用している。
【発明の開示】
【発明が解決しょうとする課題】
【０００３】  そのために、次のような欠点があった。
冬、子供部屋の暖を取るために、クーラー暖房、電気ひざかけ、電気スリッパ、灯油のファンヒーター等を使用するが、電気ひざ掛け、電気スリッパは効果が少なく、クーラー暖房は空気が乾燥、ファンヒータは酸欠の危険がある。
本発明は以上の問題点を解決しようとするものである。
【課題を解決するための手段】
【０００４】  横支柱（１）４本は上部Ｙつなぎ（４）を介して連結し、横支柱（３）４本は下部Ｙつなぎ（５）を介して連結し、縦支柱（２）４本は上部Ｙつなぎを（４）と下部Ｙつなぎ（５）を介して連結。
支柱の端に安全のためにキャップを設けたコタツ補助台である。
本発明は以上の構造によりなる勉強机の下に置くコタツ補助台である。
【発明の効果】
【０００５】  本発明は、勉強机の下にコタツを置くことで足元が暖かいのが一番であり、酸欠、部屋の空気が乾燥しなくて子供が快適に勉強ができる。
【発明を実施するための最良の形態】
【０００６】以下、本発明の実施の形態を説明する。
（イ）横支柱（１）４本は上部Ｙつなぎ（４）を介して連結した上部ワクと、横支柱（３）４本と下部Ｙつなぎ（５）と連結した下部ワクに、縦支柱（２）４本を上部Ｙつなぎ（４）と下部Ｙつなぎ（５）を介して連結。
（ロ）上部ワクの４本中２本はコタツを安定させるために少し長い。
（ハ）縦支柱の高さは同じである。
（ニ）下部ワクの４本中２本はコタツを支え安定させるために少し長い。
（ホ）横支柱８本、縦支柱４本を、Ｙつなぎ８個で連結し、キャップ８個を装着。
本発明は以上の構造によりなっている。
本発明を使用するときは、既存の一人用コタツをコタツ補助台に装着して、勉強机の下に置き、コタツ専用布団を止着することで、足元から暖がとれて快適に勉強ができる。
【図面の簡単な説明】
【０００７】
【図１】本発明の斜視図
【図２】本発明の分解斜視図
【図３】本発明の使用状態を示す斜視図
【図４】本発明の他の実施例を示す斜視図
【符号の説明】
【０００８】１  横支柱
２  縦支柱
３  横支柱
４  上部Ｙつなぎ
５  下部Ｙつなぎ
６  キャップ
７  専用コタツ布団
【図１】
2011062496.tif 000003
【図２】
2011062496.tif 000004
【図３】
2011062496.tif 000005
【図４】
2011062496.tif 000006